(57)【要約】  計算装置が開示される。計算装置は、電気コンセントに挿入するための電気プラグブレードを有する筐体と、筐体内に収容されたＡＣ／ＤＣ変換器と、変換器によって電力供給されて筐体内に収容されたシステムオンチップ（ＳｏＣ）と、ＳｏＣとデータ通信していて筐体内に収容された少なくとも１つのデータ記憶装置と、ＳｏＣとデータ通信していて筐体内に収容されたネットワーク装置と、ＳｏＣとデータ通信していて筐体内に収容された入力受付装置と、ＳｏＣとデータ通信していて筐体内に収容された少なくとも１つの出力ポートと、を含む。
2015521403.tif 000002
【特許請求の範囲】
【請求項１】
計算装置であって、
電気コンセントに挿入するための電気プラグブレードを有する筐体と、
筐体内に収容されたＡＣ／ＤＣ変換器と、
変換器によって電力供給されて筐体内に収容されたシステムオンチップ（ＳｏＣ）と、
ＳｏＣとデータ通信していて筐体内に収容された少なくとも１つのデータ記憶装置と、
ＳｏＣとデータ通信していて筐体内に収容されたネットワーク装置と、
ＳｏＣとデータ通信していて筐体内に収容された入力受付装置と、
ＳｏＣとデータ通信していて筐体内に収容された少なくとも１つの出力ポートと、を含む計算装置。
【請求項２】
電気プラグブレードは計算装置によって発生した熱を放散する、請求項１に記載の計算装置。
【請求項３】
計算装置はストリーミング・メディア・プレーヤである、請求項１に記載の計算装置。
【請求項４】
計算装置は外部配線を有していない、請求項１に記載の計算装置。
【請求項５】
ＳｏＣは中央処理装置およびグラフィック処理装置を含む、請求項１に記載の計算装置。
【請求項６】
少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される、請求項１に記載の計算装置。
【請求項７】
少なくとも１つのステータスライトをさらに含む、請求項１に記載の計算装置。
【請求項８】
少なくとも１つの物理ボタンをさらに含む、請求項１に記載の計算装置。
【請求項９】
ネットワーク装置は、ローカル・エリア・ネットワーク装置、メトロポリタン・エリア・ネットワーク装置、広域ネットワーク装置、無線ネットワーク装置、および有線ネットワーク装置から選択される、請求項１に記載の計算装置。
【請求項１０】
入力受付装置は無線入力送受信器である、請求項１に記載の計算装置。
【請求項１１】
少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される、請求項１に記載の計算装置。
【請求項１２】
筐体は電源プラグ、ケーブル、サージ保護器、または電気分配器である、請求項１に記載の計算装置。
【請求項１３】
電気ケーブルであって、
ＡＣ／ＤＣ変換器を含む第一末端と、
少なくとも１つの視聴覚出力ポートを含む第二末端と、を含む電気ケーブル。
【請求項１４】
第二末端は少なくとも１つの処理構成要素をさらに含む、請求項１３に記載の電気ケーブル。
【請求項１５】
ケーブルは少なくとも１つのアンテナを包含する、請求項１３に記載の電気ケーブル。
【請求項１６】
計算装置であって、
ＡＣ／ＤＣ変換器を包含する第一筐体と、
第二筐体と、
第一筐体を第二筐体に結合するコードと、
変換器によって電力供給されて第二筐体内に収容されたシステムオンチップ（ＳｏＣ）と、
ＳｏＣとデータ通信していて第二筐体内に収容された少なくとも１つのデータ記憶装置と、
ＳｏＣとデータ通信していて第二筐体内に収容されたネットワーク装置と、
ＳｏＣとデータ通信していて第二筐体内に収容された入力受付装置と、
ＳｏＣとデータ通信していて第二筐体内に収容された少なくとも１つの出力ポートと、を含む計算装置。
【請求項１７】
ＳｏＣは中央処理装置およびグラフィック処理装置を含む、請求項１６に記載の計算装置。
【請求項１８】
少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される、請求項１６に記載の計算装置。
【請求項１９】
少なくとも１つのステータスライトをさらに含む、請求項１６に記載の計算装置。
【請求項２０】
少なくとも１つの物理ボタンをさらに含む、請求項１６に記載の計算装置。
【請求項２１】
ネットワーク装置は、ローカル・エリア・ネットワーク装置、メトロポリタン・エリア・ネットワーク装置、広域ネットワーク装置、無線ネットワーク装置、および有線ネットワーク装置から選択される、請求項１６に記載の計算装置。
【請求項２２】
入力受付装置は無線入力送受信器である、請求項１６に記載の計算装置。
【請求項２３】
少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される、請求項１６に記載の計算装置。
【請求項２４】
コードは導線および少なくとも１つのアンテナを収容する、請求項１６に記載の計算装置。
【請求項２５】
コードは計算装置によって発生した熱を放散する、請求項１６に記載の計算装置。
【請求項２６】
壁コンセントであって、
ＡＣ／ＤＣ変換器と、
変換器によって電力供給されるシステムオンチップ（ＳｏＣ）と、
ＳｏＣとデータ通信している少なくとも１つのデータ記憶装置と、
ＳｏＣとデータ通信しているネットワーク装置と、
ＳｏＣとデータ通信している入力受付装置と、
ＳｏＣとデータ通信している少なくとも１つの出力ポートと、
電気コンセントと、
フェースプレートと、を含む壁コンセント。
【請求項２７】
フェースプレートは少なくとも１つのアンテナを隠す、請求項２６に記載の計算装置。
【請求項２８】
計算装置はストリーミング・メディア・プレーヤである、請求項２６に記載の計算装置。
【請求項２９】
計算装置は外部配線を有していない、請求項２６に記載の計算装置。
【請求項３０】
ＳｏＣは中央処理装置およびグラフィック処理装置を含む、請求項２６に記載の計算装置。
【請求項３１】
少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される、請求項２６に記載の計算装置。
【請求項３２】
少なくとも１つのステータスライトをさらに含む、請求項２６に記載の計算装置。
【請求項３３】
少なくとも１つの物理ボタンをさらに含む、請求項２６に記載の計算装置。
【請求項３４】
ネットワーク装置は、ローカル・エリア・ネットワーク装置、メトロポリタン・エリア・ネットワーク装置、広域ネットワーク装置、無線ネットワーク装置、および有線ネットワーク装置から選択される、請求項２６に記載の計算装置。
【請求項３５】
入力受付装置は無線入力送受信器である、請求項２６に記載の計算装置。
【請求項３６】
少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される、請求項２６に記載の計算装置。
【発明の詳細な説明】
【技術分野】
【０００１】
本明細書は、参照により明確に全体が本明細書に組み込まれる、「Ｔｅｌｅｖｉｓｉｏｎ  Ａｄａｐｔｅｒ（テレビアダプタ）」と題された、２０１２年４月２４日出願の米国仮出願第６１／６３７３５２号明細書の優先権を主張する。
【０００２】
本発明は、テレビ受像器との接続用の計算装置に関し、より具体的には本発明は、テレビ受像器へのストリーミングメディアのための計算装置を対象とする。
【背景技術】
【０００３】
ストリーミングまたはメディアストリーミングは、データが安定した連続的なストリームとして処理されることが可能なように、データを伝送する技術である。ほとんどのユーザは大容量のマルチメディアファイルを迅速にダウンロードするのに十分な高速アクセスを持っていないので、ストリーミング技術はインターネットの成長とともにますます重要になっている。ストリーミングを用いると、クライアントのブラウザまたはプラグインは、ファイル全体が伝送されてくる前にデータを表示することができる。
【０００４】
ストリーミングを機能させるために、データを受信するクライアント側は、データを収集して、データを処理しているアプリケーションに安定したストリームとしてデータを送信し、これを音声または画像に変換することができなければならない。これは、ストリーミングクライアントが要求されるよりも早くデータを受信する場合に、過剰なデータをバッファに記録する必要があることを、意味する。しかしながらデータが十分に早く来ない場合には、データの提示はスムーズにならない。
【０００５】
メディアは通常、記録済みのファイルからストリームされるが、生放送の一部として配信されることも可能である。生放送では、映像信号は圧縮デジタル信号に変換され、マルチキャストとしてウェブサーバから送信されて、単一のファイルを複数のユーザに対して同時に送る。
【０００６】
ストリーミングメディアはサーバアプリケーションによって送信され、メディアプレーヤと称されるクライアントアプリケーションによってリアルタイムで受信および表示される。メディアプレーヤは、ブラウザの不可欠な部分、プラグイン、個別プログラム、または専用装置のいずれであってもよい。さらに、ＴＶ上でストリーミングメディアを表示することが可能な装置をテレビ（ＴＶ）に接続することが、ますます一般的になってきている。
【０００７】
テレビ（ＴＶ）は薄型になってきているので、ＴＶの所有者はいかなる周辺機器も（たとえばケーブルボックス、およびＤＶＤまたはブルーレイプレーヤ）差し控えるかまたは隠したいと望むようになってきている。この傾向にしたがって、ＲｏｋｕまたはＡｐｐｌｅＴＶなどのストリーミングメディア装置はますます小型化されてきた。このような計算装置のサイズおよび消費電力の減少は、計算装置に電源を統合することにより、プラグ着脱可能計算装置としての設計を可能にする。サイズの減少および電源との統合は、通常はファンの包含またはヒートシンクによって解決される、熱放散問題を生じる。しかしながら、いずれの解決策も重大な不都合を有する。ファンの場合、不都合は、さらなる雑音、信頼性の低下、および追加電力消費を含む。ヒートシンクの場合には、不都合は、費用およびサイズの増大を含む。計算装置のサイズの減少はまた、ＲＦ用の適切なサイズのアンテナまたはその他の無線接続のための空間を限定する。
【発明の概要】
【発明が解決しようとする課題】
【０００８】
本発明は、現在の戦略および設計に関する問題および不都合を克服し、新しい計算装置を提供する。
【課題を解決するための手段】
【０００９】
本発明の一実施形態は、計算装置を対象とする。計算装置は、電気コンセントに挿入するための電気プラグブレードを有する筐体と、筐体内に収容されたＡＣ／ＤＣ変換器と、変換器によって電力供給されて筐体内に収容されたシステムオンチップ（ＳｏＣ）と、ＳｏＣとデータ通信していて筐体内に収容された少なくとも１つのデータ記憶装置と、ＳｏＣとデータ通信していて筐体内に収容されたネットワーク装置と、ＳｏＣとデータ通信していて筐体内に収容された入力受付装置と、ＳｏＣとデータ通信していて筐体内に収容された少なくとも１つの出力ポートと、を含む。
【００１０】
好ましくは、電気プラグブレードは、計算装置によって発生した熱を放散する。計算装置は、好ましくはストリーミング・メディア・プレーヤである。計算装置は、好ましくは外部配線を有していない。好適な実施形態において、ＳｏＣは、中央処理装置およびグラフィック処理装置を含む。
【００１１】
好適な実施形態において、少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される。計算機は好ましくは、少なくとも１つのステータスライト、および少なくとも１つの物理ボタンを、さらに含む。
【００１２】
好ましくは、ネットワーク装置は、ローカル・エリア・ネットワーク装置、メトロポリタン・エリア・ネットワーク装置、広域ネットワーク装置、無線ネットワーク装置、および有線ネットワーク装置から選択される。入力受付装置は、好ましくは無線入力送受信器である。好ましくは、少なくとも１つの出力ポートは、ＨＤＭＩ（登録商標）ポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される。筐体は好ましくは、電源プラグ、ケーブル、サージ保護器、または電気分配器である。
【００１３】
本発明の別の実施形態は、電気ケーブルを対象とする。ケーブルは、ＡＣ／ＤＣ変換器を含む第一末端と、少なくとも１つの視聴覚出力ポートを含む第二末端と、第一末端を第二末端に結合するコードと、を含む。
【００１４】
好ましくは第二末端は、少なくとも１つの処理構成要素をさらに含む。コードは好ましくは少なくとも１つのアンテナを包含する。
【００１５】
本発明の別の実施形態は、計算装置を対象とする。計算装置は、ＡＣ／ＤＣ変換器を包含する第一筐体と、第二筐体と、第一筐体を第二筐体に結合するコードと、変換器によって電力供給されて第二筐体内に収容されたシステムオンチップ（ＳｏＣ）と、ＳｏＣとデータ通信していて第二筐体内に収容された少なくとも１つのデータ記憶装置と、ＳｏＣとデータ通信していて第二筐体内に収容されたネットワーク装置と、ＳｏＣとデータ通信していて第二筐体内に収容された入力受付装置と、ＳｏＣとデータ通信していて第二筐体内に収容された少なくとも１つの出力ポートと、を含む。
【００１６】
ＳｏＣは好ましくは、中央処理装置およびグラフィック処理装置を含む。好適な実施形態において、少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される。計算機は好ましくは、少なくとも１つのステータスライト、および少なくとも１つの物理ボタンを、さらに含む。
【００１７】
好ましくは、ネットワーク装置は、ローカル・エリア・ネットワーク装置、メトロポリタン・エリア・ネットワーク装置、広域ネットワーク装置、無線ネットワーク装置、および有線ネットワーク装置から選択される。入力受付装置は、好ましくは無線入力送受信器である。好適な実施形態において、少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される。好ましくは、コードは導線および少なくとも１つのアンテナを収容する。コードは好ましくは、計算装置によって発生した熱を放散する。
【００１８】
本発明の別の実施形態は、壁コンセントを対象とする。壁コンセントは、ＡＣ／ＤＣ変換器と、変換器によって電力供給されるシステムオンチップ（ＳｏＣ）と、ＳｏＣとデータ通信している少なくとも１つのデータ記憶装置と、ＳｏＣとデータ通信しているネットワーク装置と、ＳｏＣとデータ通信している入力受付装置と、ＳｏＣとデータ通信している少なくとも１つの出力ポートと、電気コンセントと、フェースプレートと、を含む。
【００１９】
好ましくは、フェースプレートは少なくとも１つのアンテナを隠す。好適な実施形態において、計算装置はストリーミング・メディア・プレーヤである。計算装置は、好ましくは外部配線を有していない。ＳｏＣは好ましくは、中央処理装置およびグラフィック処理装置を含む。好ましくは、少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される。
【００２０】
好ましくは計算装置は、少なくとも１つのステータスライト、および少なくとも１つの物理ボタンを、さらに含む。ネットワーク装置は好ましくは、ローカル・エリア・ネットワーク装置、メトロポリタン・エリア・ネットワーク装置、広域ネットワーク装置、無線ネットワーク装置、および有線ネットワーク装置から選択される。好ましくは、入力受付装置は無線入力送受信器である。好適な実施形態において、少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される。
【００２１】
本発明のその他の実施形態および利点は、部分的に以下の説明に明記されており、部分的に、記述より明らかになるか、または本発明の実施より学習されるだろう。
【００２２】
本発明は、例示のみによって、および以下の添付図面を参照して、より詳細に記載される。
【図面の簡単な説明】
【００２３】
【図１】計算装置の実施形態の模式図である。
【図２】電源プラグ内に収容された計算装置の実施形態の図である。
【図３】電源プラグ内に収容された計算装置の実施形態の図である。
【図４】電源プラグ内に収容された計算装置の実施形態の図である。
【図５】電源プラグ内に収容された計算装置の実施形態の図である。
【図６】電源プラグ内に収容された計算装置の実施形態の図である。
【図７ａ】電源プラグ内に収容された計算装置の実施形態の図である。
【図７ｂ】電源プラグ内に収容された計算装置の実施形態の図である。
【図７ｃ】電源プラグ内に収容された計算装置の実施形態の図である。
【図８ａ】電源プラグ内に収容された計算装置の実施形態の図である。
【図８ｂ】電源プラグ内に収容された計算装置の実施形態の図である。
【図９ａ】電源プラグ内に収容された計算装置の実施形態の図である。
【図９ｂ】電源プラグ内に収容された計算装置の実施形態の図である。
【図１０】計算装置の別の実施形態の模式図である。
【図１１】ケーブル内に収容された計算装置の実施形態の図である。
【図１２】ケーブル内に収容された計算装置の実施形態の図である。
【図１３】ケーブル内に収容された計算装置の実施形態の図である。
【図１４】ケーブル内に収容された計算装置の実施形態の図である。
【図１５】壁コンセント内に収容された計算装置の実施形態の図である。
【図１６】壁コンセント内に収容された計算装置の実施形態の図である。
【図１７】壁コンセント内に収容された計算装置の実施形態の図である。
【図１８】壁コンセント内に収容された計算装置の実施形態の図である。
【図１９】壁コンセント内に収容された計算装置の実施形態の図である。
【図２０】サージ保護器内に収容された計算装置の実施形態の図である。
【図２１】サージ保護器内に収容された計算装置の実施形態の図である。
【図２２】サージ保護器内に収容された計算装置の実施形態の図である。
【図２３】サージ保護器内に収容された計算装置の実施形態の図である。
【図２４】サージ保護器内に収容された計算装置の実施形態の図である。
【図２５】サージ保護器内に収容された計算装置の実施形態の図である。
【発明を実施するための形態】
【００２４】
本明細書において具体化および広範に記載されるように、本開示は、本発明の詳細な実施形態を提供する。しかしながら、開示された実施形態は、様々なおよび代替的な形態で具体化されてもよい、本発明の例示に過ぎない。したがって、特定の構造的および機能的詳細は限定的であるという意図はなく、むしろこれらは本発明を多様に採用するための当業者に対する教示の代表的な根拠として、請求項の根拠を提供するように意図される。
【００２５】
本発明の実施形態によって解決されることが可能な当該技術分野における問題は、電源コンセントに直接的にプラグ着脱可能な統合電源を備える計算装置の、サイズおよび費用を低減することである。本発明は、電源コンセントとヒートシンク交換品としてそこに接続された電力ケーブルとを使用することができる。
【００２６】
計算装置内で必要な熱伝達を促進するために、計算装置の中の電子部品によって発生した熱は、短絡回路を形成しないようなやり方で、熱伝導材料を介して計算装置の電気ブレードに誘導される。たとえば、誘電性熱化合物は、外部ブレードに接続された発熱電子部品に適用されることが可能である。
【００２７】
図１は、本発明の計算装置１００の好適な実施形態の模式図を示す。好適な実施形態において、計算装置１００はストリーミングメディア装置である。装置１００は電力変換器１０１を含む。たとえば、電力変換器１０１は、交流電流（ＡＣ）を直流電流（ＤＣ）に変換してもよい。好ましくは、電力変換器１０１は６０ヘルツで１２０ボルトを受け付ける；しかしながら電力変換器１０１は、別の国際標準電圧に適応してもよい。電力変換器１０１は好ましくは、電気コンセントと結合するブレードを含む。加えて、本明細書に記載されるように、ブレードは熱放散を提供してもよい。電力変換器１０１は好ましくは分極化されており、接地ブレードを含んでもよい。加えて、電力変換器１０１は、別の国際標準コンセントで使用されるようになっていてもよい。
【００２８】
電力変換器１０１は、ストリーミングメディア装置１００の残りの構成要素に電力を供給するために使用される。ストリーミングメディア装置１００は、集積回路（すなわちシステムオンチップ（ＳｏＣ））１０２をさらに含む。ＳｏＣは、コンピュータまたはその他の電子システムの複数の構成要素を単一のチップに集積する。これはデジタル、アナログ、混合信号、および無線周波数機能をすべて、単一チップ基板上に含んでもよい。ＳｏＣ１０２は好ましくは、中央処理装置（ＣＰＵ）、グラフィック処理装置（ＧＰＵ）、ならびにシステムメモリ、ダイナミック・ランダム・アクセス・メモリ（ＲＡＭ）１０３、およびフラッシュメモリ１０４を含む様々なシステム構成要素をＳｏＣ１０２に結合するシステムバスを、組み込んでいる。システムバスは、様々なバスアーキテクチャの１つを使用する、メモリバスまたはメモリコントローラ、周辺バス、またはローカルバスを含むいくつかのタイプのバス構造のうちの１つであってもよい。フラッシュメモリ１０４などに記憶された基本入出力（ＢＩＯＳ）は、起動中などに、計算装置１００の中の要素の間で情報を伝送するのを助ける、基本ルーチンを提供してもよい。ドライブおよび関連するコンピュータ可読媒体は、コンピュータ可読命令、データ構造、プログラムモジュール、および計算装置１００のためのその他のデータの、不揮発性記憶装置を提供する。基本的構成要素は当業者にとって周知であり、適切な変形例が考えられる。
【００２９】
本明細書に記載される例示的な環境はフラッシュメモリを採用しているものの、磁気カセット、ハードドライブ、デジタル多用途ディスク、カートリッジ、ランダム・アクセス・メモリ（ＲＡＭ）、読み出し専用メモリ（ＲＯＭ）、ビットストリームなどを包含するケーブルまたは無線信号など、コンピュータによってアクセス可能なデータを記憶することが可能なその他のタイプのコンピュータ可読媒体もまた、例示的な動作環境において使用されてよいことは、当業者によって理解される。
【００３０】
計算装置１００は、ネットワーク装置１０６をさらに含む。ネットワーク装置１０５および１０６は、たとえばインターネット、１つ以上のローカル・エリア・ネットワーク（”ＬＡＮ”）、１つ以上のメトロポリタン・エリア・ネットワーク（”ＭＡＮ”）、１つ以上の広域ネットワーク（”ＷＡＮ”）、１つ以上のイントラネットなどに接続することができる。好ましくはネットワーク装置１０５はブルートゥース装置であり、その他のネットワーク装置が使用されることも可能である。ネットワーク装置１０５は、無線ブルートゥース装置（たとえばキーボードまたはマウス）に接続することが可能であってもよい。好ましくは、ネットワーク装置１０６は無線ネットワーク装置（たとえばＷｉ−Ｆｉ）であるが、しかし有線ネットワークがネットワーク装置１０６に結合されてもよい（たとえばイーサネット（登録商標））。さらに、ネットワーク装置１０６は、通信ネットワークを通じて（有線リンク、無線リンクによって、またはこれらの組み合わせによって）結合された局所的で遠隔の処理装置によってタスクが実行される、分散コンピューティング環境にも接続されてよい。分散コンピューティング環境において、プログラムモジュールは、局所的かつ遠隔のメモリ記憶装置内に位置してもよい。
【００３１】
計算装置１００とのユーザインタラクションを可能にするために、入力受付装置１０８がある。入力受付装置１０８は、音声用のマイクロフォン、ジェスチャまたはグラフィック入力用のタッチ感応画面、キーボード、マウス、動作入力、ＲＪ−４５、ＵＳＢなど、多くの入力機構から入力を受け付けることができる。いくつかの例において、多モードシステムは、計算装置１００と通信するための複数のタイプの入力をユーザが提供できるようにする。いずれの具体的ハードウェア配置で動作する本発明にも制限はなく、したがってここでの基本的特徴は、これらが開発される際に改良型ハードウェアまたはファームウェア配置に容易に置き換えられる。
【００３２】
計算装置１００は、少なくとも１つの出力ポート１０７をさらに含む。出力ポート１０７は計算装置１００をＴＶ、スピーカ、プロジェクタ、またはその他の視聴覚装置に接続する。好ましくは、出力ポート１０７は、ＨＤＭＩポート、光オーディオポート、シリアルポート、ＵＳＢポート、ネットワークポート、Ｓビデオポート、同軸ケーブルポート、コンポジットビデオ、コンポジットオーディオ、および／またはＶＧＡポートである。好適な実施形態において、計算装置１００は、追加補助構成要素（たとえば電力管理装置またはデジタルオーディオ変換器）も含んでよい。
【００３３】
説明の明確化のため、説明的システム実施形態は、個々の機能ブロックを含むものとして提示される。これらのブロックが表す機能は、ソフトウェアを実行することが可能なハードウェアを含むがこれに限定されない、共有または専用ハードウェアの使用を通じて提供されてもよい。たとえば、図１に示される１つ以上のプロセッサの機能は、単一の共有プロセッサまたは複数のプロセッサによって提供されてもよい。（用語「プロセッサ」の使用は、ソフトウェアを実行することが可能なハードウェアのみを指すものとして解釈されるべきではない。）説明的実施形態は、マイクロプロセッサおよび／またはデジタル信号プロセッサ（ＤＳＰ）ハードウェア、以下に論じられる動作を実行するソフトウェアを記憶するための読み出し専用メモリ（ＲＯＭ）、結果を記憶するためのランダム・アクセス・メモリ（ＲＡＭ）を含んでもよい。超大規模集積回路（ＶＬＳＩ）ハードウェア実施形態、ならびに汎用ＤＳＰ回路と組み合わせたカスタムＶＬＳＩ回路も、提供されてもよい。
【００３４】
本発明の範囲内の実施形態は、記憶されたコンピュータ実行可能命令またはデータ構造を担持または有するコンピュータ可読媒体を含む。このようなコンピュータ可読媒体は、汎用または専用コンピュータによってアクセス可能な、いずれの利用可能媒体であってもよい。一例として、しかし限定的ではなく、このようなコンピュータ可読媒体は、ＲＡＭ、ＲＯＭ、ＥＥＰＲＯＭ、ＣＤ−ＲＯＭ、またはその他の光ディスク記憶装置、磁気ディスク記憶装置、またはその他の磁気記憶装置、あるいはコンピュータ実行可能命令またはデータ構造の形態の所望のプログラムコード手段を担持または記憶するために使用されることが可能なその他いずれかの媒体を、含むことができる。ネットワークまたはその他の通信接続（有線、無線、またはこれらの組み合わせのいずれか）を通じてコンピュータに情報が伝送または提供されるとき、コンピュータは適切に接続をコンピュータ可読媒体として見る。このためいずれのこのような接続も、適切にコンピュータ可読媒体と称される。上記の組み合わせもまた、コンピュータ可読媒体の範囲に含まれるべきである。
【００３５】
コンピュータ実行可能命令は、たとえば、汎用コンピュータ、専用コンピュータ、または専用処理装置に特定の機能または機能群を実行させる、命令およびデータを含む。コンピュータ実行可能命令はまた、独立側またはネットワーク環境においてコンピュータによって実行される、プログラムモジュールも含む。一般的にプログラムモジュールは、特定のタスクを実行する、または特定の抽象データ型を実施する、ルーチン、プログラム、オブジェクト、コンポーネント、およびデータ構造などを含む。コンピュータ実行可能命令、関連するデータ構造、およびプログラムモジュールは、本明細書に開示される方法のステップを実行するプログラムコード手段の例を示す。このような実行可能命令または関連するデータ構造の特定のシーケンスは、このようなステップにおいて記載される機能を実施するための対応する挙動の例を示す。
【００３６】
図２から図９は、電源プラグに収容された計算装置のいくつかの実施形態の図を示す。図２に示される計算装置２００は、正方形の末端および長方形の側面を有する三次元の長方形であるが、しかしその他の形状も想起される。正方形の末端のコーナーは図中丸みを帯びたように示されているが、コーナーは鋭角であるか、またはその他の形状を有することも可能である。好ましくは、計算装置２００の末端は２６ｍｍ（幅）×２８ｍｍ（高さ）であり、その一方で側面は２８ｍｍ×５４ｍｍである。しかしながら、計算装置２００はその他のサイズおよび形状を有することもできる。
【００３７】
計算装置２００は外筐体を有する。外筐体は好ましくはプラスチックであるが、しかしその他の材料が使用されることも可能である。たとえば、外筐体は鋼、アルミニウム、その他の金属、木、ゴム、ナイロン、ガラス、複合材料、その他の人工または天然材料、あるいはこれらの組み合わせであってもよい。好ましくは外筐体は単一ユニットであるが、しかし複数の部分が外筐体を含むことも可能である。さらに、外筐体は単色または多色を有することができる。たとえば外筐体は、全体的に一色であってもよく、側面に一色、末端に別の色を有してもよく、画像、ロゴ、模様、またはその他のデザインを有してもよい。
【００３８】
図２に示されるように、計算装置２００は、ＨＤＭＩポート２０３または本明細書に記載されるようなその他のポートを有してもよい。加えて、計算装置２００は図７ａに示されるように、少なくとも１つのステータスライト７０１を有してもよい。好ましくは、ステータスライト７０１はＬＥＤであるが、ただしその他の表示器が使用されてもよい。ステータスライト７０１は、ストリーミングメディア装置２００の電力状態、データ伝送、またはその他の状態を示すことができる。ステータスライト７０１は、単色または多色であってもよい。加えて、計算装置２００は、装置の状態をユーザにさらに警告するため、またはその他の音声を発するために、オーディオ装置（たとえばブザーまたはスピーカ）を有することができる。計算装置２００は、少なくとも１つの物理ボタン７０２も含んでよい。物理ボタン７０２は、電源ボタン、リセットボタンであってもよく、別の用途を有してもよい。さらに、物理ボタン７０２は、押下回数および押下持続時間に応じて、複数の目的を有することができる。ポート２０２、ステータスライト７０１、および物理ボタン７０２はすべて計算装置２００の前部に示されているが、これらは計算装置２００の別の表面に配置されることも可能であり、各々が異なる表面に配置されることも可能である。
【００３９】
図６は、計算装置２００の背面図である。好適な実施形態において、計算装置２００の背面は、２つの平坦な電気ブレード２０１、および丸みを帯びた電気ブレード２０２を有する。平電気ブレード２０１は好ましくは分極化されている。丸電気ブレード２０２は好ましくは、計算装置２００と、計算装置２００が差し込まれる電気コンセントとの間の接続の安定性を改善する。しかしながら、丸電気ブレード２０２はまたグラウンドにも接続されることが可能である。ブレード構成は米国の壁コンセントと互換性があるが、他の国の壁コンセントと結合するようにその他のブレード構成が実装されることも可能である。
【００４０】
図４および図５は、それぞれ計算装置２００の上面図および側面図を示す。１つの構成が図４および図５に示されているが、その他の構成も想起される。たとえば図４が側面図であってもよく、図５が上面図であってもよい。加えて、ブレード２０１および２０２は計算装置２００の背面から延在するように示されているが、ブレード２０１および２０２は別の表面から延在することも可能である。
【００４１】
図３および図７ｂは、電源プラグに収容された計算装置３００の別の実施形態の図を示す。計算装置３００は、デジタルオーディオ光接続ポート３０４が追加された計算装置２００と同様である。図３および図７ｂはポート３０４の上のポート２０３を示すが、ポートは逆であってもよく、隣り合ってもよく、あるいは別の構成であってもよい。
【００４２】
図７ｃは、電源プラグ内に収容された計算装置の別の実施形態の正面図を示す。計算装置は、デジタルオーディオ光接続ポート３０４およびＲＪ−４５接続ポート９０１が追加された計算装置２００と同様である。ＨＤＭＩポート２０３は光オーディオポート３０４とポート９０１との間に位置しているが、ポートの順番は異なってもよい。加えて、ステータスライトおよび物理ボタンの場所が異なってもよい。ポート９０１を収納させるために、外筐体が伸長されている。好適な実施形態において、計算装置の末端は２６ｍｍ×４４ｍｍであり、その一方で計算装置の上面および底面は２６ｍｍ×５４ｍｍ、および計算装置９００の側面は４４ｍｍ×５４ｍｍである。ただしその他の寸法も想起される。
【００４３】
図８ａおよび図８ｂは、計算装置の追加実施形態の正面図を示す。図８ａおよび図８ｂに示される計算装置は、３．５ｍｍオーディオポート８０４が追加された、別の実施形態に示される計算装置と同様である。たとえば、図８ａに示されるように、計算装置は３．５ｍｍオーディオポート、ＲＪ−４５接続ポート、ＨＤＭＩポート、ＬＥＤ、および物理ボタンを有する。図８ｂに示される実施形態は、３．５ｍｍオーディオポート、ＨＤＭＩポート、ＬＥＤ、および物理ボタンを有する。
【００４４】
図９ａおよび図９ｂは、計算装置の追加実施形態の正面図を示す。図９ａおよび図９ｂに示される計算装置は、別の実施形態に示される計算装置と同様である。たとえば、図９ａに示されるように、計算装置はＨＤＭＩポートおよびＬＥＤ（図９ａおよび図９ｂに示される実施形態では楕円形）を有し、その一方で図９ｂに示される実施形態はＨＤＭＩポート、ＬＥＤ、およびＲＪ−４５接続ポートを有する。装置上のポート、ボタン、およびＬＥＤの異なる配置を含む、ポート、ボタン、およびＬＥＤの別の組み合わせもまた想起される。
【００４５】
図１０は、計算装置１０００の別の実施形態の模式図である。計算装置１０００の構成要素は、計算装置１０００の構成要素がケーブル内に収容されていることを除き、計算装置１００の構成要素と同様である。したがって、計算装置１００に関して本明細書に記載される構成要素が、計算装置１０００に適用される。計算装置１０００は、可撓コード１００１によって接続された、電源末端１００３および計算末端１００２を有する。好ましくは、電源末端１００３は電力変換器１０１を収容する。加えて、電源末端１００３は、その本体から延在する電気ブレードを有してもよい。
【００４６】
計算末端１００２は好ましくは計算装置１０００の処理構成要素を収容する。たとえば、計算末端１００２はＳｏＣ１０２、ダイナミック・ランダム・アクセス・メモリ（ＲＡＭ）１０３、フラッシュメモリ１０４、ネットワーク装置１０５および１０６、入力受付装置１０８、出力ポート１０７、またはその他の構成要素を収容することができる。処理構成要素はまた、電源末端１００３内、またはコード１００１の中に収容されることも可能である。
【００４７】
コード１００１は電源末端１００３を計算末端１００２に結合する。好ましくは、コード１００１は中空であって可撓性ゴムでできているが、しかしコード１００１は別の材料で作られることも可能である（たとえばプラスチック、繊維、織り繊維、またはその他の可撓性材料）。コード１００１は好ましくは直径が５ｍｍであり、５０ｍｍ、６０ｍｍ、７０ｍｍ、またはその他の長さで延在することが可能である。
【００４８】
コード１００１は低電圧電源コード１００６を収容し、これは電力変換器１０１から処理構成要素に電力を供給する。電源コード１００６は好ましくはプラスチックで覆われた可撓性金属（たとえば銅）であるが、しかし別の導電体が使用されることも可能である。コード１００１は付加的にアンテナ１００４および１００５を収容する。好適な実施形態において、アンテナ１００４はＷｉ−Ｆｉアンテナであり、アンテナ１００５はブルートゥースアンテナであるが、しかし計算装置１０００の構成要素に応じて、別のタイプおよび数のアンテナがコード１００１内に収容されることも可能である。アンテナ１００４および１００５は好ましくはプラスチックで覆われた可撓性金属（たとえば銅）であるが、しかし空中伝達を送受信することが可能なその他の装置が使用されることも可能である。アンテナ１００４および１００５はコード１００１の長さの一部のみに延在するように示されているが、アンテナ１００４および１００５はコード１００１の全長またはその一部にわたって延在することも、可能である。
【００４９】
図１１から図１４は、計算装置１１００および１２００の実施形態を示す。電源末端１００３および計算末端１００２は好ましくは外筐体に収容される。外筐体は好ましくはプラスチックであるが、しかしその他の材料が使用されることも可能である。たとえば、外筐体は鋼、アルミニウム、その他の金属、木、ゴム、ナイロン、ガラス、複合材料、その他の人工または天然材料、あるいはこれらの組み合わせであってもよい。好ましくは外筐体は単一ユニットであるが、しかし複数の部分が外筐体を含むことも可能である。外筐体は単色または多色を有することができる。たとえば外筐体は、全体的に一色であってもよく、側面に一色、末端に別の色を有してもよく、画像、ロゴ、模様、またはその他のデザインを有してもよい。さらに、２つの外筐体は互いに異なる外観であってもよい。電源末端１００３の外筐体は好ましくは２６ｍｍ×２６ｍｍ×２６ｍｍであり、その一方で計算末端１００２の外筐体は好ましくは４４ｍｍ×１４ｍｍ×６０ｍｍである。ただし、その他の寸法も想起される。
【００５０】
電源末端１００３は好ましくは、本明細書に記載されるように、２つの平電気ブレードおよびそこから延在する丸電気ブレードを有する。好ましくは、電源末端１００３はフランジによってコード１００１に結合されている。フランジは好ましくは、外筐体とコード１００１との間の接点で破損しないようにケーブル１００１を保護する、可撓性ゴムである。しかしながら、フランジはたとえばプラスチック、繊維、または金属など、別の材料であってもよい。フランジは、コード１００１の外径よりも大きい外径を有し、コード１００１の外径とほぼ等しい内径を有する。フランジは、ケーブル１００１と同じ色かまたは別の色であってもよい。好ましくは、フランジは結合点において外筐体中に陥凹している。外筐体との結合点におけるフランジの直径は、好ましくはフランジの残部よりも大きい。
【００５１】
電源末端１００３と反対のコード１００１の末端には、別のフランジがある。第二フランジは好ましくは第一フランジと同一であるが、しかし第二フランジは第一フランジと異なってもよい。第二フランジは、計算末端１００２の外筐体に結合されている。本明細書に記載されるように、計算末端１００２は、ストリーミングメディア装置１１００の処理構成要素を収容する。図１１に示されるように、計算装置１１００は、ＨＤＭＩポート２０３、光オーディオポート３０４、およびＲＪ−４５ネットワークポート９０１を有することができる。図１１に示される構成は一実施形態であり、その他の実施形態は、部品の異なる構成および異なる配置を有することができる。このような実施形態において、計算末端１００２の寸法は、構成要素に適合するように、相応に調整されることが可能である。図１２に示される計算装置１２００の実施形態は、計算装置１２００がＲＪ−４５ネットワークポートを有していないことを除き、計算装置１１００と同様である。
【００５２】
図１５から図１７は、計算装置１５００の別の実施形態を示す。計算装置１５００は、壁コンセントに統合されている。計算装置１５００の構成要素は計算装置１００の構成要素と同様である。したがって、計算装置１００に関して本明細書に記載された構成要素は、計算装置１５００に適用される。システムは、壁の中に位置するモジュール１５０３の中に閉じ込められており、その一方で計算装置１５００の外側部分はフェースプレート１５０１によって包囲されている。好適な実施形態において、１つのコンセントは伝統的な電気ソケット１５０２であり、他方のコンセントはＨＤＭＩマルチメディア接続ポート２０３、デジタルオーディオ光接続ポート３０４、およびＲＪ−４５ネットワーク接続ポート９０１を包含する。加えて、視覚表示器および物理ボタンがあってもよい。計算装置１５００は一構成において示されているものの、他の構成が実施されることも可能である。たとえば電源コンセントは上部にあってもよい。
【００５３】
図１７は、壁板１５０１の背面（すなわち、壁に対向する面）を示す。壁板１５０１は、１つ以上のＲＦアンテナを隠してもよい。たとえば、壁板１５０１はＷｉ−Ｆｉアンテナ１７０１およびブルートゥースアンテナ１７０２を隠すことができる。アンテナを計算装置１５００の外側に配置することにより、アンテナのサイズが増大可能であり、より良い受信および改善された接続信頼性および速度をもたらす。図１８および図１９は、壁コンセント内に収容された計算装置１８００および１９００の追加実施形態を２つ示す。計算装置１８００および１９００は、計算装置１８００がＲＪ−４５ポートを有しておらず計算装置１９００が付加的なＲＦ−１１電話接続ポートを有することを除き、計算装置１５００と同様である。
【００５４】
図２０から図２２は、プラグ着脱可能筐体内に収容された計算装置２０００の別の実施形態を示す。計算装置２０００の構成要素は計算装置１００の構成要素と同様である。したがって、計算装置１００に関して本明細書に記載された構成要素は、計算装置２０００に適用される。計算装置２０００は好ましくは、電気コンセントへの挿入のための少なくとも１セットの電気ブレードを有する。加えて、計算装置２０００は、サージ保護器または電気分配器として機能するために、その前面に複数の電気コンセントを有する。好ましくは計算装置２０００は、筐体の側面のうちの１つに位置する、ＨＤＭＩマルチメディアポート、デジタルオーディオ光接続ポート、ＲＪ−４５ネットワーク接続ポート、およびＲＦ−１１電話接続ポートを有する。別の実施形態では、ポートは複数の側面に、または図２２に示されるものとは異なる構成で、配置されることが可能である。図２０に示されるように、計算装置２０００は付加的に、表示器ライトおよび物理ボタンを有してもよい。
【００５５】
図２３から図２５は、プラグ着脱可能筐体内に収容された計算装置２３００の別の実施形態を示す。計算装置２３００は、ポートが筐体の前面にあることを除き、計算装置２０００と同様である。別の実施形態では、ポートは複数の側面に、または図２３に示されるものとは異なる構成で、配置されることが可能である。
【００５６】
本発明の別の実施形態および使用法は、本明細書に開示される本発明の仕様および実践の検討から、当業者にとって明らかとなるだろう。すべての刊行物、米国および外国特許および特許出願を含む、本明細書において引用されるすべての参考文献は、参照により具体的かつ全体的に本明細書に組み込まれる。本仕様および例は、以下の請求項によって示される本発明の真の範囲および精神により、例示的なものとしてのみ見なされるように意図される。さらに、用語「〜を含む」は、用語「〜からなる」および「本質的に〜からなる」を含む。
【図１】
2015521403.tif 000003
【図２】
2015521403.tif 000004
【図３】
2015521403.tif 000005
【図４】
2015521403.tif 000006
【図５】
2015521403.tif 000007
【図６】
2015521403.tif 000008
【図７ａ】
2015521403.tif 000009
【図７ｂ】
2015521403.tif 000010
【図７ｃ】
2015521403.tif 000011
【図８ａ】
2015521403.tif 000012
【図８ｂ】
2015521403.tif 000013
【図９ａ】
2015521403.tif 000014
【図９ｂ】
2015521403.tif 000015
【図１０】
2015521403.tif 000016
【図１１】
2015521403.tif 000017
【図１２】
2015521403.tif 000018
【図１３】
2015521403.tif 000019
【図１４】
2015521403.tif 000020
【図１５】
2015521403.tif 000021
【図１６】
2015521403.tif 000022
【図１７】
2015521403.tif 000023
【図１８】
2015521403.tif 000024
【図１９】
2015521403.tif 000025
【図２０】
2015521403.tif 000026
【図２１】
2015521403.tif 000027
【図２２】
2015521403.tif 000028
【図２３】
2015521403.tif 000029
【図２４】
2015521403.tif 000030
【図２５】
2015521403.tif 000031
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
計算装置であって、
電気コンセントに挿入するための電気プラグブレードを有する筐体と、
筐体内に収容されたＡＣ／ＤＣ変換器と、
変換器によって電力供給されて筐体内に収容されたシステムオンチップ（ＳｏＣ）と、
ＳｏＣとデータ通信していて筐体内に収容された少なくとも１つのデータ記憶装置と、
ＳｏＣとデータ通信していて筐体内に収容されたネットワーク装置と、
ＳｏＣとデータ通信していて筐体内に収容された入力受付装置と、
ＳｏＣとデータ通信していて筐体内に収容された少なくとも１つの出力ポートと、を含む計算装置。
【請求項２】
電気プラグブレードは計算装置によって発生した熱を放散する、請求項１に記載の計算装置。
【請求項３】
計算装置はストリーミング・メディア・プレーヤである、請求項１または２に記載の計算装置。
【請求項４】
計算装置は外部配線を有していない、請求項１から３のいずれか一項に記載の計算装置。
【請求項５】
ＳｏＣは中央処理装置およびグラフィック処理装置を含む、請求項１から４のいずれか一項に記載の計算装置。
【請求項６】
少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される、請求項１から５のいずれか一項に記載の計算装置。
【請求項７】
少なくとも１つのステータスライトをさらに含む、請求項１から６のいずれか一項に記載の計算装置。
【請求項８】
少なくとも１つの物理ボタンをさらに含む、請求項１から７のいずれか一項に記載の計算装置。
【請求項９】
ネットワーク装置は、ローカル・エリア・ネットワーク装置、メトロポリタン・エリア・ネットワーク装置、広域ネットワーク装置、無線ネットワーク装置、および有線ネットワーク装置から選択される、請求項１から８のいずれか一項に記載の計算装置。
【請求項１０】
入力受付装置は無線入力送受信器である、請求項１から９のいずれか一項に記載の計算装置。
【請求項１１】
少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される、請求項１から１０のいずれか一項に記載の計算装置。
【請求項１２】
筐体は電源プラグ、ケーブル、サージ保護器、または電気分配器である、請求項１から１１のいずれか一項に記載の計算装置。
【請求項１３】
電気ケーブルであって、
ＡＣ／ＤＣ変換器を含む第一末端と、
少なくとも１つの視聴覚出力ポートを含む第二末端と、を含む電気ケーブル。
【請求項１４】
第二末端は少なくとも１つの処理構成要素をさらに含む、請求項１３に記載の電気ケーブル。
【請求項１５】
ケーブルは少なくとも１つのアンテナを包含する、請求項１３または１４に記載の電気ケーブル。
【請求項１６】
計算装置であって、
ＡＣ／ＤＣ変換器を包含する第一筐体と、
第二筐体と、
第一筐体を第二筐体に結合するコードと、
変換器によって電力供給されて第二筐体内に収容されたシステムオンチップ（ＳｏＣ）と、
ＳｏＣとデータ通信していて第二筐体内に収容された少なくとも１つのデータ記憶装置と、
ＳｏＣとデータ通信していて第二筐体内に収容されたネットワーク装置と、
ＳｏＣとデータ通信していて第二筐体内に収容された入力受付装置と、
ＳｏＣとデータ通信していて第二筐体内に収容された少なくとも１つの出力ポートと、を含む計算装置。
【請求項１７】
ＳｏＣは中央処理装置およびグラフィック処理装置を含む、請求項１６に記載の計算装置。
【請求項１８】
少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される、請求項１６または１７に記載の計算装置。
【請求項１９】
少なくとも１つのステータスライトをさらに含む、請求項１６から１８のいずれか一項に記載の計算装置。
【請求項２０】
少なくとも１つの物理ボタンをさらに含む、請求項１６から１９のいずれか一項に記載の計算装置。
【請求項２１】
ネットワーク装置は、ローカル・エリア・ネットワーク装置、メトロポリタン・エリア・ネットワーク装置、広域ネットワーク装置、無線ネットワーク装置、および有線ネットワーク装置から選択される、請求項１６から２０のいずれか一項に記載の計算装置。
【請求項２２】
入力受付装置は無線入力送受信器である、請求項１６から２１のいずれか一項に記載の計算装置。
【請求項２３】
少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される、請求項１６から２２のいずれか一項に記載の計算装置。
【請求項２４】
コードは導線および少なくとも１つのアンテナを収容する、請求項１６から２３のいずれか一項に記載の計算装置。
【請求項２５】
コードは計算装置によって発生した熱を放散する、請求項１６から２４のいずれか一項に記載の計算装置。
【請求項２６】
壁コンセントであって、
ＡＣ／ＤＣ変換器と、
変換器によって電力供給されるシステムオンチップ（ＳｏＣ）と、
ＳｏＣとデータ通信している少なくとも１つのデータ記憶装置と、
ＳｏＣとデータ通信しているネットワーク装置と、
ＳｏＣとデータ通信している入力受付装置と、
ＳｏＣとデータ通信している少なくとも１つの出力ポートと、
電気コンセントと、
フェースプレートと、を含む壁コンセント。
【請求項２７】
フェースプレートは少なくとも１つのアンテナを隠す、請求項２６に記載の計算装置。
【請求項２８】
計算装置はストリーミング・メディア・プレーヤである、請求項２６または２７に記載の計算装置。
【請求項２９】
計算装置は外部配線を有していない、請求項２６から２８のいずれか一項に記載の計算装置。
【請求項３０】
ＳｏＣは中央処理装置およびグラフィック処理装置を含む、請求項２６から２９のいずれか一項に記載の計算装置。
【請求項３１】
少なくとも１つの記憶装置は、磁気カセット、ハードドライブ、デジタル多用途ディスク、カートリッジ、ランダム・アクセス・メモリ、読み出し専用メモリ、フラッシュドライブ、およびダイナミック・ランダム・アクセス・メモリから選択される、請求項２６から３０のいずれか一項に記載の計算装置。
【請求項３２】
少なくとも１つのステータスライトをさらに含む、請求項２６から３１のいずれか一項に記載の計算装置。
【請求項３３】
少なくとも１つの物理ボタンをさらに含む、請求項２６から３２のいずれか一項に記載の計算装置。
【請求項３４】
ネットワーク装置は、ローカル・エリア・ネットワーク装置、メトロポリタン・エリア・ネットワーク装置、広域ネットワーク装置、無線ネットワーク装置、および有線ネットワーク装置から選択される、請求項２６から３３のいずれか一項に記載の計算装置。
【請求項３５】
入力受付装置は無線入力送受信器である、請求項２６から３４のいずれか一項に記載の計算装置。
【請求項３６】
少なくとも１つの出力ポートは、ＨＤＭＩポート、光オーディオポート、シリアルポート、ＵＳＢポート、Ｓビデオポート、同軸ケーブルポート、コンポジット・ビデオ・ポート、コンポジット・オーディオ・ポート、およびＶＧＡポートから選択される、請求項２６から３５のいずれか一項に記載の計算装置。
【国際調査報告】
2015521403.tif 000032
2015521403.tif 000033
2015521403.tif 000034